(57)【要約】      （修正有）【課題】操作が容易なモグラ捕獲器を提供する。【解決手段】縦杆上方部１１，２１がくの字状に屈曲して縦杆下方部（捕獲部）１２，２２がくの字と逆方向に湾曲させた下方開口コの字状の二個作動杆１，２を、前後屈曲部を貫通する主軸で枢結して開閉自在に形成する。上方横杆部１３，２３を左右開口方向へ付勢する発条を付設し、捕獲部開口状態を維持すると共に、捕獲部近傍に設けた係止フラップ４２の動作で係止解除されるセット機構を備える。基部を主軸に回動自在に連結して上方横杆部を閉口方向に動作させる操作杆５を設ける。上方横杆部との当接箇所の外側近傍個所で１５〜３０度閉口方向に屈曲させてなる。【選択図】図１
0003154179.tif 000002
【実用新案登録請求の範囲】
【請求項１】
縦杆上方部がくの字状に屈曲して、縦杆下方部がくの字と逆方向に湾曲させて捕獲部とした下方開口コの字状の作動杆を、二個左右に対向させて前後屈曲部を貫通する主軸で枢結して二個の作動杆を開閉自在に形成すると共に、左右の上方横杆部を開口方向へ付勢する発条を付設し、捕獲部開口状態を維持すると共に、捕獲部近傍に設けた接触体の動作で係止解除されるセット機構を備え、主軸に基部を回動自在に連結し、先部を対向作動杆の左右外方に突出させて、上方横杆部を閉口方向に押して動作させる操作杆を設けてなるモグラ捕獲器において、操作杆における上方横杆部との当接箇所の外側近傍個所で１５〜３０度閉口方向に屈曲させてなることを特徴とするモグラ捕獲器。
【請求項２】
操作杆の屈曲角度が２０〜２５度である請求項１記載のモグラ捕獲器。
【請求項３】
セット機構が、一方の作動杆における捕獲部の上方位置に架設した副軸に回動自在に軸装すると共に、係止爪を付設した係止フラップと、他方の作動杆の上方横杆部にダブルリングで連結し、前記一方作動杆の上方横杆部を跨いで、先端を前記係止フラップの係止爪に係止する仕掛杆とで構成される請求項１又は２記載のモグラ捕獲器。
【考案の詳細な説明】
【技術分野】
【０００１】
本考案は、挟持罠タイプのモグラ捕獲器に関するものである。
【背景技術】
【０００２】
モグラ捕獲器は、種々の構造のものが知られているが、本考案の改良対象となるモグラ捕獲器は、モグラの穴（モグラの通り道）に挟扼をなす捕獲部を配置し、モグラの通過で、開口状態の捕獲部を係止維持している係止フラップ（接触体）が動き、係止解除がなされ、発条で付勢された捕獲部が閉じてモグラを挟扼するタイプのものである。
【０００３】
具体的な構造は特許文献１（実開昭６４−３４９７６号公報第４図）に示されているとおり、縦杆上方部がくの字状に屈曲して、縦杆下方部がくの字と逆方向に湾曲させて捕獲部とした下方開口コの字状の作動杆を、二個左右に対向させて、重ね合わされた前後の屈曲部を貫通する主軸で枢結して作動杆を開閉自在とし、主軸に捩じりコイルバネを装着して、作動杆の上方横杆部を開口方向（捕獲部の挟扼方向）に付勢しているものである。
【０００４】
モグラの挟扼動作を行う係止及び係止解除構造（セット構造）は、一方の作動杆の捕獲部（前後の縦杆下方部）の上方位置に架設した副軸に、係止フラップを回動自在に軸装し、一方の作動杆の上方横杆部に連結した仕掛杆の先端を、他方の上方横杆部を跨いで前記係止フラップの係止爪に係止して捕獲待機状態（セット状態）とし、係止フラップへのモグラの接触で係止が解除され、発条の付勢力で捕獲部を閉じて、モグラを挟扼するものである。
【０００５】
器具を捕獲可能状態（セット状態）に移行させるには、作動杆の上方横杆部を閉じる必要があるが、捩じりコイルバネの付勢力が強く、直接上方横杆部を閉じて行うことが困難であるので、主軸に操作杆の基部を回動自在に連結し、操作杆で上方横杆部を押し出すようにして上方横杆部を閉じ、係止操作（仕掛杆の先端を係止爪に係止）を行うものである。
【先行技術文献】
【特許文献】
【０００６】
【特許文献１】実開昭６４−３４９７６号公報第４図。
【考案の概要】
【考案が解決しようとする課題】
【０００７】
ところで前記のモグラ捕獲器は、操作杆が直線丸棒状であり、左右の操作杆はセット開始時（係止状態への移行操作前）には、約１８０度に広がっており、最初に両手で操作杆を閉じ方向に操作し、最終のセット状態直前（仕掛杆の先端が係止爪に係止可能な状態）で、片手で左右操作杆を握り、他方の手で仕掛杆の先端を係止爪に係止するものである。
【０００８】
しかし前記のとおり操作杆が直線丸棒状であるので、図３の二点鎖線で表示したとおり最終セット状態でも左右の操作縦杆の開き角度が大きく、片手では非常に持ち難い。また持ち易いように操作杆を短く持つには、強い握持力を必要とする。
【０００９】
そこで本考案は、非常に簡単な改良で、器具の操作性を改善したモグラ捕獲器を提案したものである。
【課題を解決するための手段】
【００１０】
本考案に係るモグラ捕獲器は、縦杆上方部がくの字状に屈曲して、縦杆下方部がくの字と逆方向に湾曲させて捕獲部とした下方開口コの字状の作動杆を、二個左右に対向させて前後屈曲部を貫通する主軸で枢結して二個の作動杆を開閉自在に形成すると共に、左右の上方横杆部を開口方向へ付勢する発条を付設し、捕獲部開口状態を維持すると共に、捕獲部近傍に設けた接触体の動作で係止解除されるセット機構を備え、主軸に基部を回動自在に連結し、先部を対向作動杆の左右外方に突出させて、上方横杆部を閉口方向に押して動作させる操作杆を設けてなるモグラ捕獲器において、操作杆における上方横杆部との当接箇所の外側近傍個所で１５〜３０度閉口方向に屈曲させてなることを特徴とするものである。
【００１１】
而して操作杆を上方横杆部が閉口する方向に操作すると、左右の操作杆は、直線状の従来の操作杆に比較してより近接することになり、片手で容易に握持することができ、セット可能状態の維持が楽になり、空いたほうの手でセット機構を操作することが容易になる。
【考案の効果】
【００１２】
本考案の構成は上記のとおりで、操作杆は屈曲させるという簡単な改良で、セット状態とするのに強い力を必要とするモグラ捕獲器の操作性を格段に向上させたものである。
【図面の簡単な説明】
【００１３】
【図１】本考案の実施形態の全体斜視図。
【図２】同操作状態を示す参考図（セット開始時）。
【図３】同操作状態を示す参考図（セット終了時）。
【考案を実施するための形態】
【００１４】
次に本考案の実施形態について説明する。実施形態に示したモグラ捕獲器は、その基本構造は従前と同様で、二個の作動杆１，２と、作動付勢機構３と、セット機構４と、セット操作のための操作杆５で構成される。
【００１５】
各作動杆１，２は、下方開口コの字状で、縦杆上方部１１，２１がくの字状に屈曲して、縦杆下方部がくの字と逆方向に湾曲させて捕獲部１２，２２としたものである。
【００１６】
作動付勢機構３は、前記の二個の作動杆１，２を左右に対向させて、重ね合わされた前後の屈曲部を主軸３１で枢結して作動杆１，２を開閉自在に形成すると共に、主軸３１に捩じりコイルバネ３２を装着し、捩じりコイルバネ３２の先端を作動杆１，２の上方横杆部１３，２３に掛け止め連結して、作動杆１，２の上方横杆部１３，２３を開口方向（捕獲部１２，２２の挟扼方向）に付勢している。
【００１７】
セット機構４（モグラの挟扼動作を行う係止及び係止解除構造）は、副軸４１と、係止フラップ（接触体）４２と、仕掛杆４３で構成され、副軸４１は、一方（前後において外側となる方）の作動杆１の捕獲部（前後の縦杆下方部）１２における上方位置に架設したもので、前記の作動付勢機構３による作動杆１，２の付勢力に対する回動ストッパーとして作用させてなる。
【００１８】
係止フラップ４２は、前記副軸４１に回動可能に軸装したもので、水平位置において、対向する捕獲部１２，２２の空間内の上方に突出すると共に、捕獲部１２，２２の空間外に突出する先端に、係止爪４２１を付設したものである。
【００１９】
仕掛杆４３は、他方の作動杆２に連結したもので、その基部をダブルリング４３１として適宜位置で屈曲可能にしてなり、先端が、後述するセット状態において、先端が前記係止爪４２１に係止できる長さに設けたものである。
【００２０】
操作杆５は、基部を主軸３１に回動自在に連結し、作動杆１，２の上方横杆部１３，２３を閉口方向（付勢力に抗する方向）に押し出し可能に設けたもので、特に上方横杆部１３，２３との当接箇所の外側近傍個所で１５〜３０度（好ましくは２０〜２５度）閉口方向に屈曲させてなるものである。
【００２１】
而して前記のモグラ捕獲器は、所定のセット状態とした後に、モグラの穴（モグラの通り道）に埋設し、畑に害を及ぼすモグラを捕獲するのに使用されるもので、セット状態にするには、図２に示すように操作杆５を各々上方横杆部１３，２３が閉口する方向に絞り込み、接近した操作杆５を片手で握り、空いた手で仕掛杆４３を、他方の作動杆１の上方横杆部１３を跨がせて、その先端を係止フラップ４２の係止爪４２１に係止する。この係止状態（セット状態）で捕獲部１２，２２の開口状態が維持されることになる。
【００２２】
本考案は、特に操作杆（図３の二点鎖線）ａに比較して、操作杆５がより近接することになり、図３で明らかなように片手で容易に握持することができ、セット操作が著しく楽になるものである。
【００２３】
そしてセット状態で地中の所定箇所に埋設し、モグラが捕獲部１２，２２囲繞空間を通過すると、係止フラップ４２に触れ（ｂ→）、係止フラップ４２が回動し（ｃ→）、係止爪４２１と仕掛杆５の係止が解除され（ｄ→）、強い付勢力で捕獲部１２，２２が閉じ、モグラを挟扼するものである。
【符号の説明】
【００２４】
１，２    作動杆
１１，２１  縦杆上方部
１２，２２  捕獲部（縦杆下方部）
１３，２３  上方横杆部
３        作動付勢機構
３１      主軸
３２      捩じりコイルバネ
４        セット機構
４１      副軸
４２      係止フラップ（接触体）
４２１    係止爪
４３      仕掛杆
４３１    ダブルリング
５        操作杆
【図１】
0003154179.tif 000003
【図２】
0003154179.tif 000004
【図３】
0003154179.tif 000005